(57)【要約】【課題】ウエブの供給スピードを急遽変えるなどの対応が容易であり、ウエブから生産される印字ラベルなどの生産性を向上することができるウエブ供給装置を提供する。【解決手段】ロール１４からウエブ１６をウエブ消費部８８に搬送して供給するウエブ供給装置１０において、回転自在に支持された一つのピニオン２６を挟んでスライド自在な一対のラック２２，２４が歯合されたラックスライド機構と、一対のラック２２，２４をそれぞれ反対方向に付勢する伸縮部材３２，３６と、一対のラック２２，２４にそれぞれ設けられ、搬送されるウエブ１６が係合される搬送ローラ２８，３０と、を備えたユニット部材２８が１以上設けられると共に、ウエブ消費部８８に搬送されるウエブ１６は伸縮部材３２，３６の付勢力に対抗する対抗力が加わるように搬送ローラ２８，３０に掛け渡されているようにする。【選択図】図１
2010254431.tif 000002
【特許請求の範囲】
【請求項１】
ロールからウエブをウエブ消費部に搬送して供給するウエブ供給装置において、
回転自在に支持された一つのピニオンを挟んでスライド自在な一対のラックが歯合されたラックスライド機構と、
前記一対のラックをそれぞれ反対方向に付勢する伸縮部材と、
前記一対のラックにそれぞれ設けられ、前記搬送されるウエブが係合される搬送ローラと、を備えたユニット部材が１以上設けられると共に、前記ロールから前記ウエブ消費部に搬送されるウエブは前記伸縮部材の付勢力に対抗する対抗力が加わるように前記搬送ローラ同士に掛け渡されていることを特徴とするウエブ供給装置。
【請求項２】
前記ウエブ供給装置には、前記ユニットに設けられた１対の搬送ローラを中央に寄せた状態で固定する固定機構が備えられていることを特徴とする請求項１に記載のウエブ供給装置。
【請求項３】
前記ユニット部材は、プリンター装置のウエブ搬送ラインに組み込まれており、前記ウエブ消費部は前記プリンター装置の画像記録部であることを特徴とする請求項１又は２のウエブ供給装置。
【発明の詳細な説明】
【技術分野】
【０００１】
本発明はウエブ供給装置に係るもので、特に、ロールからウエブを搬送するウエブ供給装置に関するものである。
【背景技術】
【０００２】
従来から、印刷用紙や段ボール用原紙またはプラスチックフィルム等のウエブが巻かれたロールから、ウエブを連続的に消費機構に供給する際に、ウエブが消費された旧ロールを新ロールに交換し、旧ロールからのウエブの後端に新ロールからのウエブの先端をウエブ継機構により継いでいる。
【０００３】
そして、ウエブ継機構によりウエブを継いでいる間、ロールからのウエブの供給は停止されるが、ウエブ継機構と消費機構との間にウエブ貯留装置を設けて、ウエブ貯留装置に貯留したウエブを消費機構に供給して、ウエブ継機構によりウエブを継いでいる間もウエブを供給できるようにしている。
【０００４】
例えば、特許文献１では、セットセンサがロール紙の先端を検知してから待機位置設定用時間が経過した時点で搬送を停止させ各ロール紙の先端を待機位置に設定するようにすることが開示されている。これにより、ロール紙給紙装置の各ロール紙の初期的なセッティングが終了した後のそれぞれのロール紙の先端の位置決めを簡易かつ迅速に行うことができる。
【０００５】
また、特許文献２では、搬送ローラが経時的に摩耗等して搬送力の低下が発生しても、適切なループを形成して正確な切断を行うことができるロール紙給紙装置が開示されている。
【先行技術文献】
【特許文献】
【０００６】
【特許文献１】特開平８−７３０８０号公報
【特許文献２】特開平６−２３４４４６号公報
【発明の概要】
【発明が解決しようとする課題】
【０００７】
ところで、従来のウエブ供給装置や引用文献１と引用文献２のようなウエブ供給装置では、ウエブの供給スピードを急遽変えるなどの対応が困難であり、ウエブをカットしプリント（印字）したラベルなどを生産する際の生産性に問題があった。
【０００８】
本発明はこのような事情に鑑みてなされたもので、ウエブの供給スピードを急遽変えるなどの対応が容易であり、ウエブから生産される印字ラベルの生産性を向上することができるウエブ供給装置を提供することを目的とする。
【課題を解決するための手段】
【０００９】
本発明は、上記目的を達成するために、ロールからウエブをウエブ消費部に搬送して供給するウエブ供給装置において、回転自在に支持された一つのピニオンを挟んでスライド自在な一対のラックが歯合されたラックスライド機構と、前記一対のラックをそれぞれ反対方向に付勢する伸縮部材と、前記一対のラックにそれぞれ設けられ、前記搬送されるウエブが係合される搬送ローラと、を備えたユニット部材が１以上設けられると共に、前記ロールから前記ウエブ消費部に搬送されるウエブは前記伸縮部材の付勢力に対抗する対抗
力が加わるように前記搬送ローラ同士に掛け渡されていることを特徴とするウエブ供給装置を提供する。
【００１０】
ウエブ供給装置を上記の如く構成することにより、ウエブの搬送速度が停止している場合や搬送速度が遅い場合には、伸縮手段の付勢力がウエブ搬送によって搬送ローラに加わる対抗力よりも大きい。したがって、一対のラックに形成された搬送ローラ同士の距離が離れる方向に、ピニオンを挟んだラック同士がスライドするので、ウエブは搬送ローラ間において蛇行した状態になる。これにより、ロールとウエブ消費部との間にウエブが貯留される。
【００１１】
そして、ウエブ供給装置の運転開始時や、ウエブの搬送速度が急激に速くなる立ち上がり時には、搬送ローラに加わる対抗力が伸縮部材の付勢力よりも大きくなる。したがって、一対のラックに形成された搬送ローラ同士の距離が近づく方向にピニオンを挟んだラック同士がスライドするので、貯留されたウエブが使用される。これにより、ウエブの急激な立ち上がりに対して余裕を持ってロールからウエブを送り出すことができるようになる。
【００１２】
したがって、ウエブの供給スピードを急遽変えるなどの対応が容易であり、ウエブから生産されるラベルなどの生産性を向上することができるウエブ供給装置を提供することができる。
【００１３】
本発明において、前記ウエブ供給装置には、前記ユニットに設けられた１対の搬送ローラを中央に寄せた状態で固定する固定機構が備えられていることが好ましい。
【００１４】
これにより、ウエブを蛇行させてセットする必要がないので、容易にウエブをウエブ供給装置にセットすることができる。
【００１５】
本発明において、前記ユニット部材は、プリンター装置のウエブ搬送ラインに組み込まれており、前記ウエブ消費部は前記プリンター装置の画像記録部であることが好ましい。
【００１６】
プリンター装置にユニット部材を組み込めば、印字用紙（ウエブ）を搬送するための大型の駆動モータを必要とせずに、画像記録部に搬送する印字用紙の搬送速度の急激な立ち上がりに対応できる。
【発明の効果】
【００１７】
本発明によれば、ロールからウエブを搬送するウエブ供給装置において、ウエブの供給スピードを急遽変えるなどの対応が容易であり、ウエブから生産される印字ラベルの生産性を向上することができるウエブ供給装置を提供することができる。
【図面の簡単な説明】
【００１８】
【図１】本発明のウエブ供給装置をプリンター装置に組み込んだ図
【図２】本発明のウエブ供給装置の作用を説明する説明図
【図３】本発明のウエブ供給装置の作用を説明する別の説明図
【図４】本発明に係る搬送ローラを中央に寄せる機構を示す図
【発明を実施するための形態】
【００１９】
以下、本発明の実施の形態によるウエブ供給装置１０について説明する。
【００２０】
図１〜図３は、本発明のウエブ供給装置１０をプリンター装置１００に組み込んだ図であり、ウエブ供給装置の作用を説明している。
【００２１】
図１〜図３の実施形態のプリンター装置１００は、ウエブ供給装置１０にセットされたロール状のウエブ１４を巻き出して画像記録部８８に搬送するもので、グリップローラ８０でウエブ１６を引っ張り、その後、カッター８４で所望の長さにカットし、搬送ローラ８６でカットしたウエブ１６を画像記録部８８に搬送し、カットしたウエブ１６に印刷される。
【００２２】
ここで、グリップローラ８０はモータ８２によって駆動されるが、従来のウエブ供給装置では、ウエブの供給スピードを急遽変えるなどの対応が困難であり、ウエブをカットしプリント（印字）したラベルなどを生産する際の生産性に問題があった。
【００２３】
本発明のウエブ供給装置１０は、図１に示すように、回転自在に支持された一つのピニオン２６を挟んでスライド自在な一対のラック２２，２４が歯合されたラックスライド機構で動作するユニット部材２０が設けられており、そのユニット部材２０には一対のラック２２，２４をそれぞれ反対方向に付勢する伸縮部材３２，３６と、搬送されるウエブ１６が係合される搬送ローラ２８，３０と、を備えている。
【００２４】
なお、本発明のウエブ供給装置の立体的な図は省略するが、搬送ローラはウエブの幅よりも広い長さのものを用いており、その搬送ローラの両端部のそれぞれをラックで支持している。即ち、図１〜図３に示されているウエブ供給装置の構成がウエブの幅方向の両端側にそれぞれ設けられている。
【００２５】
このユニット部材は１以上設けられていれば良いが、図１〜図３においては、３つのユニット部材２０，４０，６０が設けられている場合を示している。また、ラック２２の伸縮部材３２は、ピニオン２６に対して搬送ローラ２８と同じ側に設けたものを示しているが、ピニオン２６に対して搬送ローラ２８と反対側に設けても良く、その場合にはラック２４の伸縮部材３２もピニオン２６に対して搬送ローラ３０と反対側に設けることが必要である。
【００２６】
ウエブ供給装置１０には、ロール１４からウエブ１６を送り出すウエブ供給軸１２と、ユニット部材２０，４０，６０が設けられている。ウエブ供給軸１２にはモータ１３により駆動し、ウエブ１６は送り出される。ウエブ１６は、ユニット部材２０の搬送ローラ２８，３０、ユニット部材４０の搬送ローラ４８，５０、ユニット部材６０の搬送ローラ６８，７０に掛け渡されて搬送されるようになっており、運転開始前には図１のようにウエブ１６はウエブ供給装置１０内のローラ間に貯留されている。
【００２７】
図２は、ロール１４を巻き出してウエブ１６を画像記録部８８に搬送したときを示した図であり、ウエブ供給装置の運転開始時や、ウエブの搬送速度が急激に速くなる立ち上がり時を示した図である。
【００２８】
ウエブ供給装置の運転開始時や、ウエブの搬送速度が急激に速くなる立ち上がり時は、搬送ローラに加わる対抗力が伸縮部材の付勢力よりも大きくなる。したがって、グリップローラ８０のモータ８２とウエブ供給軸１２のモータ１３によりウエブ１６は搬送されるが、グリップローラ８０の引張力によって、蛇行しているウエブ１６が一直線となろうとする力が作用するので、ユニット部材２０の伸縮部材３２，３６、ユニット部材４０の伸縮部材５２，５６、ユニット部材６０の伸縮部材７２，７６が伸び、ラックスライド機構でユニット部材２０のラック２２，２４、ユニット部材４０のラック４２，４４、ユニット部材６０のラック６２，６４が移動（スライド）し、ユニット部材２０の搬送ローラ２８，３０、ユニット部材４０の搬送ローラ４８，５０、ユニット部材６０の搬送ローラ６８，７０のローラ間の距離が縮む。したがって、図１に示したローラ間に貯留されていた
ウエブ１６を画像記録部８８に送り出すことができる。
【００２９】
このように、搬送ローラのローラ間に蛇行した状態でウエブを搬送しておくことで、急激な立ち上がりや速度変更に対して余裕を持ってウエブを送り出すことができるようになる。したがって、本発明によれば、ウエブの供給スピードを急遽変えるなどの対応が容易であり、ウエブから生産されるラベルなどの生産性を向上することができるウエブ供給装置を提供することができる。また、ウエブの繰出動作時の搬送速度に対応することができる。
【００３０】
図３は、搬送ローラを中央に寄せたときのウエブ供給装置を示した図である。
【００３１】
図３のように、搬送ローラ２８，３０，４８，５０，６８，７０を中央に寄せることで、初期準備においてウエブ供給装置１０にウエブ１６をセッティングするのを容易にすることができる。即ち、ウエブを蛇行してセットすることなく、容易にウエブをウエブ供給装置にセットすることができる。
【００３２】
ここで、搬送ローラ２８，３０，４８，５０，６８，７０を図３のように中央に寄せるには、例えば、図４に示すような寄せ部材９０をウエブ供給装置１０に備えておくことが好ましい。
【００３３】
なお、図４の寄せ部材９０には、ピニオン２６，４６，６６と噛み合う歯が設けられている。そして、ピニオンの厚み（幅）はラックの厚み（幅）より厚い（広い）ことで、ラックからはみ出したピニオンの歯の部分へ寄せ部材９０の歯を噛み合わせることができる。この寄せ部材によってピニオンを回転させることにより、ラックは動き、搬送ローラを図３のように中央に寄せることができる。そして、搬送ローラを中央に寄せた後、寄せ部材９０を固定することで、容易にウエブをウエブ供給装置にセットすることができる。
【００３４】
なお、本発明のウエブ供給装置は、上述したように画像記録部へウエブを供給するプリンター装置に限定するものではなく、他のさまざまな実施形態をとることができるのはもちろんである。
【符号の説明】
【００３５】
１０…ウエブ供給装置、１２…ウエブ供給軸、１３…モータ、１４…ロール状のウエブ（ロール）、１６…ウエブ、２０…ユニット部材、２２…ラック、２４…ラック、２６…ピニオン、２８…搬送ローラ、３０…搬送ローラ、３２…伸縮部材、３６…伸縮部材、４０…ユニット部材、４２…ラック、４４…ラック、４６…ピニオン、４８…搬送ローラ、５０…搬送ローラ、５２…伸縮部材、５６…伸縮部材、６０…ユニット部材、６２…ラック、６４…ラック、６６…ピニオン、６８…搬送ローラ、７０…搬送ローラ、７２…伸縮部材、７６…伸縮部材、８０…グリップローラ、８２…モータ、８４…カッター、８６…搬送ローラ、８８…画像記録部（ウエブ消費部）、９０…寄せ部材（固定機構）、１００…プリンター装置
【図１】
2010254431.tif 000003
【図２】
2010254431.tif 000004
【図３】
2010254431.tif 000005
【図４】
2010254431.tif 000006